(57)【要約】【課題】光源ランプからの光がカラーホイールで反射して光源ランプに熱的影響を与えることなく、且つカラーホイールを構成するカラーフィルタの各色成分毎の傾斜に依存する分光透過率の違いから表示品質が劣化してしまうのを確実に回避する。【解決手段】円周に沿った分割領域に配置される複数の色成分のカラーフィルタを選択的に光路中に挿入し、透過光を時分割で着色するカラーホイール30であって、同一色成分毎にそれぞれ偶数、例えば２枚ずつのカラーフィルタ30r1,30g1,30b1,30r2,30g2,30b2を円周に沿って配置し、これらのうちフィルタ30r1,30g1,30b1を一定の方向に傾斜させ、残るフィルタ30r2,30g2,30b2を上記一定の方向とは反対の方向に同角度で傾斜させる。【選択図】      図３
2006285029.tif 000002
【特許請求の範囲】
【請求項１】
円周に沿った分割領域に配置される複数の色成分のカラーフィルタを選択的に光路中に挿入し、透過光を時分割で着色するカラーホイール装置において、
同一色成分毎にそれぞれ偶数のカラーフィルタを円周に沿って配置し、少なくとも一つの色成分のカラーフィルタの半数を透過光軸に対して一定の方向に傾斜させ、残る半数を上記一定の方向とは反対の方向に同角度で傾斜させることを特徴とするカラーホイール装置。
【請求項２】
上記複数の色成分中、通過周波数帯域が最も低い色成分のカラーフィルタは透過光軸に対して傾斜させず、垂直となるように設けることを特徴とする請求項１記載のカラーホイール装置。
【請求項３】
上記一定の方向に傾斜させたカラーフィルタ及び上記一定の方向とは反対の方向に傾斜させたカラーフィルタを円周全体で対称的に配置したことを特徴とする請求項１記載のカラーホイール装置。
【請求項４】
円周に沿った分割領域に配置される複数の色成分のカラーフィルタを選択的に光路中に挿入し、透過光を時分割で着色するカラーホイールを用いた投影装置において、
上記カラーホイールは、同一色成分毎にそれぞれ偶数のカラーフィルタを円周に沿って配置し、少なくとも一つの色成分のカラーフィルタの半数を透過光軸に対して一定の方向に傾斜させ、残る半数を上記一定の方向とは反対の方向に同角度で傾斜させたものであることを特徴とする投影装置。
【発明の詳細な説明】
【技術分野】
【０００１】
本発明は、特にマイクロミラー素子等と組合わせるのに好適なカラーホイール装置及びこれを用いた投影装置に関する。
【背景技術】
【０００２】
従来、パーソナルコンピュータと接続することで各種プレゼンテーションやデモンストレーション等を行なうことが可能なプロジェクタ装置がより一層身近になりつつある。
【０００３】
この種のプロジェクタ装置で、光像を形成する素子として透過型のカラー液晶パネルを用いたものに比して、マイクロミラー素子と呼ばれる光半導体素子を用いたＤＬＰ（Ｄｉｇｉｔａｌ  Ｌｉｇｈｔ  Ｐｒｏｃｅｓｓｉｎｇ）（登録商標）方式のものが、より明るい画像投影が得られるために普及しつつある。
【０００４】
この種のＤＬＰ（登録商標）方式のプロジェクタ装置は、光源ランプからの高輝度白色光を、同一円周状にＲｅｄ（赤），Ｇｒｅｅｎ（緑），Ｂｌｕｅ（青）の各カラーフィルタを区分配置したカラーホイールと呼ばれる円盤状の部材を回転駆動して時分割で着色（正確には択一的に当該色成分の光のみを透過）させた後に、その色成分に対応した光像を形成するべく表示駆動されるマイクロミラー素子で反射させ、その反射光を投影光学系のレンズを介して投影対象のスクリーン等に投影するようになるものである。
【０００５】
しかるに、光源ランプは例えばアーク放電を利用した高圧水銀灯等でなり、その発光駆動によりきわめて高温となるもので、投影動作中はもとより、発光を停止した投影動作後も大型の冷却ファンにより連続した冷却が必要となる。
【０００６】
プロジェクタ装置全体を小型化するに当たっては、上記カラーホイールの直径を小さくする必要があり、そのためにカラーホイールを光源ランプのごく近傍に配置しなければならない。したがって、光源ランプからの光でカラーホイールのカラーフィルタに照射された光のごく一部は反射され、上記光源ランプを加熱することとなる。
【０００７】
この点で、投影光軸に対するカラーホイールの配設角度を、該交軸に直交する位置からあえて傾斜させることで、カラーホイールで反射された光源からの光が直接光源を照射することのないようにした技術が考えられている。（例えば、特許文献１）
【特許文献１】特開２００２−２７７８２０号公報
【発明の開示】
【発明が解決しようとする課題】
【０００８】
しかしながら、上記特許文献に記載された技術は、カラーホイールが常に一定の傾斜角度で投影光軸に挿入されることになり、カラーホイールを構成する各色成分毎のカラーフィルタはそれぞれ傾斜角度に依存する分光透過率が異なるので、カラーホイールを通過した光は色バランスの崩れたものとなり、投影画像の表示品質を劣化させてしまう一因となる。
【０００９】
本発明は上記のような実情に鑑みてなされたもので、その目的とするところは、光源ランプからの光がカラーホイールで反射して光源ランプに熱的影響を与えることなく、且つカラーホイールを構成するカラーフィルタの各色成分毎の傾斜に依存する分光透過率の違いから表示品質が劣化してしまうのを確実に回避することが可能な回転式カラーフィルタ及びこれを用いた投影装置を提供することにある。
【課題を解決するための手段】
【００１０】
請求項１記載の発明は、円周に沿った分割領域に配置される複数の色成分のカラーフィルタを選択的に光路中に挿入し、透過光を時分割で着色するカラーホイール装置において、同一色成分毎にそれぞれ偶数のカラーフィルタを円周に沿って配置し、少なくとも一つの色成分のカラーフィルタの半数を透過光軸に対して一定の方向に傾斜させ、残る半数を上記一定の方向とは反対の方向に同角度で傾斜させることを特徴とする。
【００１１】
請求項２記載の発明は、上記請求項１記載の発明において、上記複数の色成分中、通過周波数帯域が最も低い色成分のカラーフィルタは透過光軸に対して傾斜させず、垂直となるように設けることを特徴とする。
【００１２】
請求項３記載の発明は、上記請求項１記載の発明において、上記一定の方向に傾斜させたカラーフィルタ及び上記一定の方向とは反対の方向に傾斜させたカラーフィルタを円周全体で対称的に配置したことを特徴とする。
【００１３】
請求項４記載の発明は、回転円周に沿った分割領域に配置される複数の色成分のカラーフィルタを選択的に光路中に挿入し、透過光を時分割で着色するカラーホイールを用いた投影装置において、上記カラーホイールは、同一色成分毎にそれぞれ偶数のカラーフィルタを円周に沿って配置し、少なくとも一つの色成分のカラーフィルタの半数を透過光軸に対して一定の方向に傾斜させ、残る半数を上記一定の方向とは反対の方向に同角度で傾斜させたものであることを特徴とする。
【発明の効果】
【００１４】
請求項１記載の発明によれば、カラーホイールを構成するカラーフィルタの各色成分毎の傾斜角度に依存する分光透過率の違いを相殺し、表示品質の劣化を確実に回避しながら、光源ランプからの光を当該光源ランプに反射させず、熱的影響を与えない。
【００１５】
請求項２記載の発明によれば、上記請求項１記載の発明の効果に加えて、光源ランプへの反射が少ないと思われる色成分のカラーフィルタ部分は回転面に対して傾斜しない部分とすることで、高速回転するカラーホイールカラーで発生される騒音を低減できる。
【００１６】
請求項３記載の発明によれば、上記請求項１記載の発明の効果に加えて、高速回転するカラーホイールの回転バランスをとることで、振動や騒音の発生を抑えることができる。
【００１７】
請求項４記載の発明によれば、カラーホイールを構成するカラーフィルタの各色成分毎の傾斜角度に依存する分光透過率の違いを相殺し、表示品質の劣化を確実に回避しながら、光源ランプからの光を当該光源ランプに反射させず、熱的影響を与えない。
【発明を実施するための最良の形態】
【００１８】
以下本発明をプロジェクタ装置に適用した場合の実施の一形態について図面を参照して説明する。
【００１９】
図１は、同実施の形態に係るプロジェクタ装置１０の主として筐体前面及び上面の外観構成を示すものである。同図に示すように、直方体状の本体ケーシング１１の前面に、投影レンズ１２、測距センサ１３、及びＩｒ受信部１４が配設される。
【００２０】
投影レンズ１２は、後述するマイクロミラー素子でなる空間的光変調素子で形成された光像を拡大してスクリーン等の対象に投影するためのものであり、ここでは合焦位置及びズーム位置（投影画角）を任意に可変できるものとする。
【００２１】
測距センサ１３は、２対の位相差センサの一方が水平方向、他方が垂直方向となるように互いに直交する方向に配置され、それぞれ被写体像に対する視差から三角測距の原理に基づいて投影対象までの距離を一次元的な検出ラインに沿って測定する。
【００２２】
Ｉｒ受信部１４は、図示しないこのプロジェクタ装置１０のリモートコントローラからのキー操作信号が重畳された赤外光（Ｉｒ）信号を受信する。
【００２３】
また、本体ケーシング１１の上面には、キースイッチ部１５及びスピーカ１６が配設される。  
キースイッチ部１５は、例えば電源キー、ＡＦ／ＡＫ（Ａｕｔｏｍａｔｉｃ  Ｆｏｃｕｓ／Ａｕｔｏｍａｔｉｃ  Ｋｅｙ−ｓｔｏｎｅ  ｃｏｒｒｅｃｔｉｏｎ：自動合焦／自動台形補正）キー、ズームキー、入力選択キー、カーソル（「↑」「↓」「←」「→」）キー、「Ｅｎｔｅｒ」キー等からなるもので、同様のキーがこのプロジェクタ装置１０のリモートコントローラにも配設されるものとする。
【００２４】
スピーカ１６は、入力された音声信号及び動作時のビープ音等を拡声放音する。
【００２５】
また、図示はしないが本体ケーシング１１の背面には、入出力コネクタ部、Ｉｒ受信部、及びＡＣアダプタ接続部が配設される。  
入出力コネクタ部は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００２６】
Ｉｒ受信部は、上記Ｉｒ受信部１４と同様に、図示しないリモートコントローラからのキー操作信号が重畳された赤外光（Ｉｒ）信号を受信する。  
ＡＣアダプタ接続部は、電源となる図示しないＡＣアダプタからのケーブルを接続する。
【００２７】
次に図２により上記プロジェクタ装置１０の電子回路の機能構成について説明する。図中、入出力コネクタ部２１より入力された各種規格の画像信号が、入出力インタフェース（Ｉ／Ｆ）２２、システムバスＳＢを介して画像変換部２３で所定のフォーマットの画像信号に統一された後に、投影エンコーダ２４へ送られる。
【００２８】
投影エンコーダ２４は、送られてきた画像信号をビデオＲＡＭ２５に展開記憶させた上でこのビデオＲＡＭ２５の記憶内容からビデオ信号を生成して投影駆動部２６に出力する。
【００２９】
この投影駆動部２６は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）である例えばマイクロミラー素子２７を表示駆動する。
【００３０】
このマイクロミラー素子２７に対して、リフレクタ２８内に配置された光源ランプ２９が出射する高輝度の白色光を、カラーホイール３０を介して適宜原色に着色し、ロッドインテグレータ３１、ミラー３２を介して照射することで、その反射光で光像が形成され、上記投影レンズ１２を介してここでは図示しないスクリーンに投影表示される。
【００３１】
しかるに、光源ランプ２９の点灯駆動と、カラーホイール３０を回転駆動するモータ（Ｍ）３３はいずれも投影光処理部３４からの供給電圧値に基づいて動作する。
【００３２】
モータ３３によるカラーホイール３０の回転軸は、光源ランプ２９からの光軸に平行に配置され、且つカラーホイール３０の回転面が該光軸に垂直となるように配置される。
【００３３】
上記各回路のすべての動作制御を司るのが制御部３５である。この制御部３５は、ＣＰＵと、後述する投影動作の初期設定の処理を含む該ＣＰＵで実行される動作プログラムを記憶した不揮発性メモリ、及びワークメモリ等により構成される。
【００３４】
この制御部３５にはまた、上記システムバスＳＢを介して測距処理部３６及び音声処理部３７が接続される。
【００３５】
測距処理部３６は、上記２対の位相差センサからなる測距センサ１３を制御駆動し、それらの検出出力から任意の点位置までの距離を算出するもので、算出された距離値データは上記制御部３５へ送られる。
【００３６】
音声処理部３７は、ＰＣＭ音源等の音源回路を備え、投影動作時に与えられる音声データをアナログ化し、上記スピーカ１６を駆動して拡声放音し、あるいは必要によりビープ音等を発生させる。
【００３７】
なお、上記キースイッチ（ＳＷ）部１５における各キー操作信号が直接制御部３５に入力されると共に、Ｉｒ受信部３８からの信号も直接制御部３５に入力される。このＩｒ受信部３８は、上記Ｉｒ受信部１４及び本体ケーシング１１の背面側に設けられるＩｒ受信部を含み、その赤外光受信信号をコード信号化して制御部３５に送出する。
【００３８】
次に上記カラーホイール３０の第１の具体構成について説明する。
【００３９】
図３（Ａ）は、カラーホイール３０及びモータ３３の上面図、図３（Ｂ）はカラーホイール３０及びモータ３３を上記図２の紙面裏側から見た右側面図、図３（Ｃ）はカラーホイール３０を上記図２のロッドインテグレータ３１の方向から見た正面図、図３（Ｄ）はカラーホイール３０及びモータ３３を上記図２の紙面表側から見た左側面図、図３（Ｅ）はカラーホイール３０及びモータ３３の下面図である。
【００４０】
同図に示すようにカラーホイール３０は、Ｒ（赤），Ｇ（緑），Ｂ（青）の各色成分のカラーフィルタ３０ｒ１，３０ｇ１，３０ｂ１，３０ｒ２，３０ｇ２，３０ｂ２が最小の偶数である２枚ずつ円周に沿った中心角６０°の扇形の各分割領域に規則配置されて構成される。
【００４１】
ここで、図３（Ｃ）の正面図で右側に位置する３枚のカラーフィルタ３０ｒ１，３０ｇ１，３０ｂ１はそれぞれ、周側から回転中心に向かって右（時計）方向に１０°〜１５°程度傾斜してカラーホイール３０の回転中心位置に取付けられるものであり、且つこれらとは逆に図３（Ｃ）の正面図で左側に位置する３枚のカラーフィルタ３０ｒ２，３０ｇ２，３０ｂ２はそれぞれ、周側から回転中心に向かって左（反時計）方向に１０°〜１５°程度傾斜してカラーホイール３０の回転中心位置に取付けられる。
【００４２】
このような構成にあって、図４（Ａ）は、上記カラーホイール３０の各カラーフィルタ３０ｒ１，３０ｇ１，３０ｂ１，３０ｒ２，３０ｇ２，３０ｂ２中、Ｇフィルタ３０ｇ１が光源ランプ２９からロッドインテグレータ３１に至る光路中に介在する状態を示すもので、隣接するＲフィルタ３０ｒ１、Ｂフィルタ３０ｂ１も合わせて、上述した如くこのカラーホイール３０の回転中心に向かって対して右（時計）方向に傾斜している。
【００４３】
そのため、これらのフィルタ３０ｒ１，３０ｇ１，３０ｂ１のいずれかが上記光路中にある場合には、透過光がこれらのフィルタを介して上記ロッドインテグレータ３１へ至る一方で、僅かな反射光はこの図４（Ａ）中の下方に向けて放射され、リフレクタ２８、光源側の光源ランプ２９、ロッドインテグレータ３１には至らない。
【００４４】
また、図４（Ｂ）は、上記カラーホイール３０の各カラーフィルタ３０ｒ１，３０ｇ１，３０ｂ１，３０ｒ２，３０ｇ２，３０ｂ２中、Ｇフィルタ３０ｇ２が光源ランプ２９からロッドインテグレータ３１に至る光路中に介在する状態を示すもので、隣接するＲフィルタ３０ｒ２、Ｂフィルタ３０ｂ２も合わせて、上述した如くこのカラーホイール３０の回転中心に向かって対して左（反時計）方向に傾斜している。
【００４５】
そのため、これらのカラーフィルタ３０ｒ２，３０ｇ２，３０ｂ２のいずれかが上記光路中にある場合には、透過光がこれらのフィルタを介して上記ロッドインテグレータ３１へ至る一方で、僅かな反射光はこの図４（Ｂ）中の上方に向けて放射され、リフレクタ２８、光源側の光源ランプ２９、ロッドインテグレータ３１には至らない。
【００４６】
このように、カラーホイール３０の回転面自体はリフレクタ２８、光源ランプ２９からロッドインテグレータ３１に至る光軸に垂直となる方向に配置していながら、各カラーフィルタ３０ｒ１，３０ｇ１，３０ｂ１，３０ｒ２，３０ｇ２，３０ｂ２をそれぞれ傾斜させることとしたため、反射光がリフレクタ２８、光源ランプ２９に至ることはなく、光源ランプ２９にカラーホイール３０からの反射光による熱的な影響が及ぶことはない。
【００４７】
加えて、光軸に対して各カラーフィルタ３０ｒ１，３０ｇ１，３０ｂ１，３０ｒ２，３０ｇ２，３０ｂ２を傾斜させる角度を、各同一の色成分毎、すなわちＲフィルタ３０ｒ１と３０ｒ２、Ｇフィルタ３０ｇ１と３０ｇ２、Ｂフィルタ３０ｂ１と３０ｂ２でそれぞれ対称となるように設定した。
【００４８】
これにより、各フィルタの各色成分毎に、傾斜角度に依存する分光透過率の違いを相殺することができるので、表示品質の劣化を確実に回避することができる。
【００４９】
さらに、カラーホイール３０は上記図３（Ｃ）に示す如くカラーフィルタ３０ｒ１，３０ｇ１，３０ｂ１とカラーフィルタ３０ｒ２，３０ｇ２，３０ｂ２とで線対称となっている。このように、高速回転するカラーホイール３０の回転バランスをとることで、無用な振動や騒音の発生を抑えることができる。
【００５０】
次に上記カラーホイール３０の第２の具体構成について説明する。
【００５１】
図５（Ａ）は、カラーホイール３０及びモータ３３の上面図、図５（Ｂ）はカラーホイール３０及びモータ３３を上記図２の紙面裏側から見た右側面図、図５（Ｃ）はカラーホイール３０を上記図２のロッドインテグレータ３１の方向から見た正面図、図５（Ｄ）はカラーホイール３０及びモータ３３を上記図２の紙面表側から見た左側面図、図５（Ｅ）はカラーホイール３０及びモータ３３の下面図である。
【００５２】
同図に示すようにカラーホイール３０は、，Ｂ（青），Ｒ（赤），Ｇ（緑）の各色成分のカラーフィルタ３０ｂ１，３０ｒ１′，３０ｇ１，３０ｂ２，３０ｒ２′，３０ｇ２が最小の偶数である２枚ずつ円周に沿った中心角６０°の扇形の各分割領域に規則配置されて構成される。
【００５３】
ここで、図５（Ｃ）の正面図で右側に位置する３枚のカラーフィルタ３０ｂ１，３０ｒ１′，３０ｇ１中、中央のＲフィルタ３０ｒ１′を除いて、隣接するフィルタ３０ｂ１，３０ｇ１はそれぞれ、周側から回転中心に向かって右（時計）方向に１０°〜１５°程度傾斜してカラーホイール３０の回転中心位置に取付けられるものである。
【００５４】
これとは反対に、図５（Ｃ）の正面図で左側に位置する３枚のカラーフィルタ３０ｂ２，３０ｒ２′，３０ｇ２中、中央のＲフィルタ３０ｒ２′を除いて、隣接するフィルタ３０ｂ２，３０ｇ２はそれぞれ、周側から回転中心に向かって左（反時計）方向に１０°〜１５°程度傾斜してカラーホイール３０の回転中心位置に取付けられる。
【００５５】
このような構成にあって、図６は、上記カラーホイール３０の各カラーフィルタ３０ｂ１，３０ｒ１′，３０ｇ１，３０ｂ２，３０ｒ２′，３０ｇ２中、Ｒフィルタ３０ｒ１′が光源ランプ２９からロッドインテグレータ３１に至る光路中に介在する状態を示すものである。
【００５６】
同図中、隣接するＢフィルタ３０ｂ１、Ｇフィルタ３０ｂ１が共に上述した如くこのカラーホイール３０の回転中心に向かって対して右（時計）方向に傾斜しているのに対し、中央のＲフィルタ３０ｒ１′のみカラーホイール３０の回転面に対して傾斜していない。
【００５７】
そのため、これらＢフィルタ３０ｂ１またはＧフィルタ３０ｇ１のいずれかが上記光路中にある場合には透過光がこれらのフィルタを介して上記ロッドインテグレータ３１へ至る一方で、僅かな反射光はこの図６中の下方に向けて放射され、リフレクタ２８、光源側の光源ランプ２９、ロッドインテグレータ３１には至らない。
【００５８】
反面、上記図６に示すようにＲフィルタ３０ｒ１′が上記光路中にある場合には、透過光がこのフィルタを介して上記ロッドインテグレータ３１へ至る一方で、僅かな反射光はリフレクタ２８及び光源ランプ２９側に放射される。
【００５９】
しかしながら、Ｒフィルタ３０ｒ１′は上記ＲＧＢの３原色中、最も周波数帯域が低く、赤外線領域に近いため、事実上はリフレクタ２８、光源ランプ２９側への反射による熱の影響はほとんど無視できるものと考えられる。
【００６０】
同様に、ここでは図示はしないが上記カラーホイール３０の各カラーフィルタ３０ｂ１，３０ｒ１′，３０ｇ１，３０ｂ２，３０ｒ２′，３０ｇ２中、Ｒフィルタ３０ｒ２′が光源ランプ２９からロッドインテグレータ３１に至る光路中に介在する状態でも、隣接するＢフィルタ３０ｂ２、Ｇフィルタ３０ｂ２が共に上述した如くこのカラーホイール３０の回転中心に向かって対して左（時計）方向に傾斜しているのに対し、中央のＲフィルタ３０ｒ２′のみカラーホイール３０の回転面に対して傾斜しない。
【００６１】
そのため、これらＢフィルタ３０ｂ２またはＧフィルタ３０ｇ２のいずれかが上記光路中にある場合には透過光がこれらのフィルタを介して上記ロッドインテグレータ３１へ至る一方で、僅かな反射光は図６中の上方に向けて放射され、リフレクタ２８、光源側の光源ランプ２９、ロッドインテグレータ３１には至らない。
【００６２】
反面、Ｒフィルタ３０ｒ２′が上記光路中にある場合には、透過光がこのフィルタを介して上記ロッドインテグレータ３１へ至る一方で、僅かな反射光はリフレクタ２８及び光源ランプ２９側に放射される。
【００６３】
しかしながら、Ｒフィルタ３０ｒ２′はＲＧＢの３原色中で最も周波数帯域が低く、赤外線領域に近いため、事実上はリフレクタ２８、光源ランプ２９側への反射による熱の影響はほとんど無視できるものと考えられる。
【００６４】
このように、リフレクタ２８内に設けられた光源ランプ２９への反射が少ないと思われる色成分、ここではＲフィルタ３０ｒ１′，３０ｒ２′の部分はカラーホイール３０の回転面に対して傾斜しないものとすることで、高速回転するカラーホイール３０で発生される騒音をある程度までは低減できる。
【００６５】
なお、上記図３乃至図６はいずれもＲＧＢの原色系のフィルタが最小の偶数である数値「２」に基づいて１円周中に２つずつ配置されるものとして説明したが、本発明はこれに限るものではなく、例えば補色系のＹ（黄），Ｍｇ（マゼンタ），Ｃｙ（シアン）を用いたカラーホイールを用いるものとしてもよく、同一の色成分が円周上に４つずつ、あるいはそれ以上の偶数配列されたものとすることも可能である。
【００６６】
また、カラーホイール３０を構成する各カラーフィルタの傾斜の方向は上記図３及び図５に示したものに限るものではなく、その傾斜角も１０°〜１５°程度と限定するものではない。
【００６７】
さらに、このようなカラーホイールを透過して着色した光を、マイクロミラー素子２７ではなく、モノクロ表示の透過型液晶表示パネルを透過させることで構造を形成して投影させることも考えられる。
【００６８】
その他、本発明は上記実施の形態に限らず、その要旨を逸脱しない範囲内で種々変形して実施することが可能であるものとする。
【００６９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７０】
【図１】本発明の実施の一形態に係るプロジェクタ装置の外観構成を示す斜視図。
【図２】同実施の形態に係る電子回路の機能構成を示すブロック図。
【図３】同実施の形態に係るカラーホイールの第１の具体構成を例示する図。
【図４】同実施の形態に係る図３のカラーホイールの回転状態と透過光の関係を示す図。
【図５】同実施の形態に係るカラーホイールの第２の具体構成を例示する図。
【図６】同実施の形態に係る図５のカラーホイールの回転状態と透過光の関係を示す図。
【符号の説明】
【００７１】
１０…プロジェクタ装置、１１…本体ケーシング、１２…投影レンズ、１３…測距センサ、１４…Ｉｒ受信部、１５…キースイッチ部、１６…スピーカ、２１…入出力コネクタ部、２２…入出力インタフェース、２３…画像変換部、２４…投影エンコーダ、２５…ビデオＲＡＭ、２６…投影駆動部、２７…マイクロミラー素子（ＳＯＭ）、２８…リフレクタ、２９…光源ランプ、３０…カラーホイール、３０ｂ１，３０ｂ２…Ｂフィルタ、３０ｇ１，３０ｇ２…Ｇフィルタ、３０ｒ１，３０ｒ１′，３０ｒ２，３０ｒ２′…Ｒフィルタ、３１…ロッドインテグレータ、３２…ミラー、３３…モータ（Ｍ）、３４…投影光処理部、３５…制御部、３６…測距処理部、３７…音声処理部、３８…Ｉｒ受信部、ＳＢ…システムバス。
【図１】
2006285029.tif 000003
【図２】
2006285029.tif 000004
【図３】
2006285029.tif 000005
【図４】
2006285029.tif 000006
【図５】
2006285029.tif 000007
【図６】
2006285029.tif 000008